(57)【要約】【課題】本発明は、食品を収納する冷却室を大きく活用し得る横流ファンを有する冷蔵庫を提供することを目的とする。【解決手段】本発明に係る冷蔵庫は、食品を保存する冷却室を有してその一方側に機械室１２を備えた冷蔵庫本体１０と、機械室１２の内部に配置されて、冷媒が通過しながら熱交換される熱交換器２６と、熱交換器２６と対向されるように配置されて、熱交換のための空気を送風させる横流ファン２８と、機械室１２の内部に装着されて、冷媒を圧縮する圧縮機２４とを包含する。【選択図】図１
2011158249.tif 000002
【特許請求の範囲】
【請求項１】
食品を保存する冷却室を有し、機械室を備えた冷蔵庫本体と、
前記機械室の内部に装着されて、冷媒を圧縮する圧縮機と、
前記機械室の内部に配置されて、前記圧縮機で圧縮された冷媒が通過しながら凝縮されるように熱交換される熱交換器と、
前記圧縮機と前記熱交換器との間に配置されて、熱交換のための空気を送風させる横流ファンと、を包含して構成され、
前記熱交換器が、前記冷蔵庫本体の幅方向に長く立てられるように垂直に設置され、前記横流ファンが前記冷蔵庫本体に垂直に立てられるように設置され、
前記横流ファンが、前記冷蔵庫本体の幅方向である前記熱交換器の一方側に配置されることを特徴とする冷蔵庫。
【請求項２】
前記機械室の内部には、前記熱交換器と横流ファンが内蔵されるハウジングが設置されることを特徴とする請求項１に記載の冷蔵庫。
【請求項３】
前記ハウジングは、前記熱交換器が内蔵されて、一方側に空気が吸入される吸入口が形成される熱交換器ハウジングと、
該熱交換器ハウジングと連結されて、前記横流ファンが回転可能に内蔵されて一方側に空気が吐出される吐出口が形成されるファンハウジングと、を包含して構成されることを特徴とする請求項２に記載の冷蔵庫。
【請求項４】
前記機械室は、前記圧縮機が装着される圧縮機の受納空間と、前記ハウジングが設置されて、前記圧縮機の受納空間に比べて幅が小さく形成されるハウジング受納空間と、を包含して構成されることを特徴とする請求項２に記載の冷蔵庫。
【請求項５】
前記熱交換器は、二列に配列されて冷蔵庫本体の幅方向に等間隔を置いて配置される各冷媒管と、
これら冷媒管の外周面に形成される冷却フィンと、
前記各冷媒管の上段と下段に設置される支持プレートと、を包含して構成されることを特徴とする請求項１に記載の冷蔵庫。
【請求項６】
前記横流ファンは、前記ファンハウジングの上段と下段が夫々回転可能に支持されて駆動モータと連結される回転軸と、
該回転軸の外周面に装着されて、空気を送風させるブレードと、を包含して構成されることを特徴とする請求項３に記載の冷蔵庫。
【発明の詳細な説明】
【技術分野】
【０００１】
本発明は、横流ファンを有する冷蔵庫に係るもので、詳しくは、冷蔵庫の機械室の空間を縮小し得ることで、食品を保存する空間を広く利用し得る冷蔵庫に関するものである。
【背景技術】
【０００２】
図９は、従来の冷蔵庫の機械室を示した側面図で、図１０は、従来の冷蔵庫の機械室を示した斜視図で、図１１は、従来の冷蔵庫機械室を示した上面図である。
【０００３】
従来の冷蔵庫では、各種冷蔵食品が保存される冷蔵室と冷凍食品が保存される冷凍室などの冷却室１０４を備えた冷蔵庫本体１０２と、該冷蔵庫本体１０２の前方に開閉可能に装着されるドア１０６と、前記冷蔵庫本体１０２の後方下部に配置されて、冷凍サイクルを形成する各種部品が設置される機械室１０８と、を包含して構成されている。
【０００４】
また、前記機械室１０８は、前記冷蔵庫本体１０２の後方下部に備えられた空間としてその内部には、冷媒を圧縮する圧縮機１２０と、冷媒が通過しながら熱交換される熱交換器１３０と、該熱交換器１３０に外部空気を強制的に送風させる軸流ファン(axial fan)１４０とが設置される。
【０００５】
ここで、前記熱交換器１３０は、Ｕ字状に反復して折曲されて上下方向に等間隔を置いて配列されて冷媒が通過する冷媒管１３２と、該冷媒管１３２間に設置されて該冷媒管１３２の間を通過する空気との接触面積を大きくして熱伝逹の性能を向上させる冷却フィン１３４と、を包含して構成される。
【０００６】
このように構成された従来の熱交換器１３０は、全体的な形態が正六面体を形成するフィンチューブ型の熱交換器が使われる。
【０００７】
また、前記軸流ファン１４０は、前記熱交換器１３０と相互対応するように配置されて空気を軸方向に送風させるファンであって、前記軸流ファン１４０の後方には、該軸流ファン１４０を回転させる駆動モータ１４２が設置される。
【発明の概要】
【発明が解決しようとする課題】
【０００８】
然るに、上記のように構成された従来の冷蔵庫の熱交換器１３０では、Ｕ字状に折曲されて、上下方向に等間隔を置いて配列されて正六面体状に形成されるため、設置空間が大きくなることで、機械室１０８が大きくなるという問題がある。
【０００９】
また、従来の冷蔵庫では、前記軸流ファン１４０が使われるため、風量を増やすためにはファンの直径を大きくしなければならないため、ファンの直径が大きくないと、前記軸流ファン１４０が設置された機械室１０８が大きくなるという問題がある。
【００１０】
また、従来の冷蔵庫では、正六面体タイプの熱交換器１３０と軸流ファン１４０が使われるため、前記機械室１０８の空間が冷蔵庫本体の内側方向に幅（Ｌ）だけが必要であることで、食品を保存する冷却室１０４が小さくなるという問題がある。
【００１１】
本発明は、このような問題点に鑑みて成されたもので、熱交換のために空気を送風させるファンにより横流ファンが使われるために機械室の空間を縮小し得ることで、食品を収納する冷却室を大きく活用し得る横流ファンを有する冷蔵庫を提供することを目的とする。
【課題を解決するための手段】
【００１２】
上記の目的を達成するため、本発明に係る冷蔵庫は、食品を保存する冷却室を有してその一方側に機械室を備えた冷蔵庫本体と、前記機械室の内部に配置されて冷媒が通過しながら熱交換される熱交換器と、該熱交換器と対向されるように配置されて、熱交換のための空気を送風させる横流ファンと、前記機械室の内部に装着されて、冷媒を圧縮する圧縮機と、を包含して構成されることを特徴とする。
【００１３】
また、前記機械室の内部には、前記熱交換器と横流ファンが内蔵されるハウジングが設置され、該ハウジングは、前記熱交換器が内蔵されて、一方側に空気が吸入される吸入口が形成される熱交換器ハウジングと、該熱交換器ハウジングと連結されて、前記横流ファンが回転可能に内蔵されて一方側に空気が吐出される吐出口が形成されるファンハウジングとを包含することができる。
【００１４】
また、前記機械室は、前記圧縮機が装着される圧縮機の受納空間と、前記ハウジングが設置されて、前記圧縮機の受納空間に比べてその幅が小さく形成されるハウジング受納空間とを包含することができる。
【００１５】
また、前記熱交換器は、二列に配列されて冷蔵庫本体の幅方向に等間隔を置いて配置される各冷媒管と、これら冷媒管の外周面に形成される冷却フィンと、これら冷媒管の上段と下段に設置される支持プレートとを包含することができる。
【００１６】
また、前記横流ファンは、前記ファン受納部の上段と下段が夫々回転可能に支持されて、駆動モータと連結される回転軸と、該回転軸の外周面に装着されて、空気を送風させるブレードとを包含することができる。
【発明の効果】
【００１７】
本発明に係る冷蔵庫では、熱交換のために空気を送風させるファンにより横流ファンが使われるため、機械室の空間を縮小し得ることで、食品を収納する冷却室を大きくできるとの効果がある。
【００１８】
また、本発明に係る冷蔵庫に使われる熱交換器は、二列に配列された冷媒管が垂直方向又は水平方向に等間隔に配置されるため、機械室の空間を縮小し得ることで、食品を収納する冷却室を大きくできるとの効果がある。
【図面の簡単な説明】
【００１９】
【図１】本発明の第１実施形態に冷蔵庫機械室を示した斜視図である。
【図２】本発明の第１実施形態に係る冷蔵庫機械室を示した上面図である。
【図３】本発明の第１実施形態に係る冷蔵庫機械室に設置された構成要素を示した斜視図である。
【図４】本発明の第１実施形態に係る横流ファンの断面図である。
【図５】本発明の第１実施形態に係る熱交換器を示した斜視図である。
【図６】図５のＡ部を示した拡大図である。
【図７】本発明の第２実施形態に係る機械室を示した側面図である。
【図８】図７のＸＩ−ＸＩ線を示した断面図である。
【図９】従来の冷蔵庫機械室を示した断面図である。
【図１０】従来の冷蔵庫機械室を示した斜視図である。
【図１１】従来の冷蔵庫機械室を示した上面図である。
【発明を実施するための形態】
【００２０】
以下、図面を参照して、本発明に係る冷蔵庫の実施形態を説明する。
図１は、本発明の第１実施形態に係る冷蔵庫機械室を示した斜視図で、図２は、本発明の第１実施形態に係る冷蔵庫機械室を示した上面図である。
【００２１】
本発明に係る冷蔵庫では、冷凍食品が保管される冷凍室と冷蔵食品が保管される冷蔵室などの冷却室（図示されず）を備えた冷蔵庫本体１０と、該冷蔵庫本体１０の下部に所定空間を有するように位置されて、冷凍サイクルの各種構成要素が設置される機械室１２と、を包含して構成されている。
【００２２】
また、前記冷蔵庫本体１０の下部には、ベースプレート１４が装着されて、前記機械室１２は、冷蔵庫本体１０の下部後方に所定空間を有するように配置されて、前記機械室１２の前面には、カバー１６がボルト２０により締結される。また、前記カバー１６には、外部空気が前記機械室１２の内部に流入されるか、又は該機械室１２の内部の空気が外部に排出される複数の空気通路１８が形成される。
【００２３】
また、前記機械室１２の内部には、前記ベースプレート１４の上面に防振部材２２により緩衝可能に装着されて冷媒を圧縮する圧縮機２４と、冷媒が通過しながら外部空気と熱交換される熱交換器２６と、該熱交換器２６に外部空気を強制送風させる横流ファン(cross flow fan)２８と、前記熱交換器２６と横流ファン２８が内蔵されるハウジング３０と、を包含して構成される。
【００２４】
また、前記機械室１２の内部は、前記圧縮機２４が設置されるように比較的に幅が広く形成される圧縮機の受納空間３２と、該圧縮機の受納空間３２に比べて幅が小さく形成されて前記ハウジング３０が設置されるハウジング受納空間３４と、を包含して構成される。
【００２５】
また、前記ハウジング３０は、図３に示すように、前記横流ファン２８が内蔵されて、該横流ファン２８により送風される空気が吐出される吐出口３６が形成されるファンハウジング３８と、該ファンハウジング３８と一体に形成されて、前記熱交換器２６が内蔵される熱交換器ハウジング４０と、該熱交換器ハウジング４０の前面に装着されて、空気が吸入される空気吸入口４４が形成されるハウジングカバー４２と、を包含して構成されている。
【００２６】
ここで、前記横流ファン２８は、図４に示すように、前記ファンハウジング３８の内部に垂直方向に配置されて、該ファンハウジング３８の上段と下段に夫々回転可能に装着される回転軸５２と、該回転軸５２の外周面に等間隔を置いて形成されて複数のブレード５０を有する。そして、前記ファンハウジング３８の上面には、前記回転軸５２と連結されて横流ファン２８を回転させる駆動モータ５４が設置される。
【００２７】
このような横流ファン２８は、垂直方向に立てられた状態に配置されるために、前記機械室１２の受納空間を最小化することができ、該機械室１２の大きさを前記横流ファン２８の直径に合うように縮小し得る。
【００２８】
また、前記熱交換器２６は、図５、６に示すように、垂直に立てられた状態に配置されて、冷媒が通過する複数の冷媒管６０と、これら冷媒管６０の外周面に形成されて、通過する空気との接触面積を大きくして熱交換の性能を向上させる冷却フィン６４と、前記各冷媒管６０の上段と下段を夫々支持する一対の支持プレート６２と、を包含して構成されている。
【００２９】
ここで、前記各冷媒管６０は、前記機械室１２に設置される空間を最小化し得るように二列に前記機械室１２の長さ方向に沿って等間隔を置いて垂直に立てられるように配置され、前記冷却フィン６４は、前記各冷媒管６０の外周面にスクリュー状に形成される。
【００３０】
このように構成される本発明の第１実施形態に係る冷蔵庫では、電源が入ると、圧縮機２４が駆動されながら冷媒の圧縮作用をし、前記駆動モータ５４の駆動により前記横流ファン２８が回転されて吸入口４４を通って外部空気が吸入され、前記熱交換器２６を通過しながら、該熱交換器２６の冷媒管６０を通過する冷媒と熱交換される。次いで、前記熱交換器２６を通過しながら熱交換された空気は、前記横流ファン２８を経由して、前記ファンハウジング３８に形成された吐出口３６を通って、前記圧縮機２４方向に吐出されて前記圧縮機２４の冷却作用をする。
【００３１】
このように構成される本発明の第１実施形態に係る冷蔵庫は、前記機械室１２に横流ファン２８が垂直に配置されて、前記熱交換器２６の冷媒管６０が二列に垂直に配置されるため、前記機械室１２の空間を縮小することができ、食品を保存する冷却室を大きくすることができる。
【００３２】
図７は、本発明の第２実施形態に係る冷蔵庫機械室を示した正面図で、図８は、図７のＸＩ−ＸＩ線を示した断面図である。
【００３３】
本発明に係る冷蔵庫の第２実施形態では、前記機械室１２の内部の一方側に圧縮機２４が設置されて、前記冷蔵庫本体１０の幅方向に圧縮機２４の側面に熱交換器７０が配置されて、該熱交換器７０の上側に横流ファン７２が設置される。そして、前記機械室１２の内部には、前記横流ファン７２と熱交換器７０が内蔵されるハウジング８０が設置される。
【００３４】
また、前記熱交換器７０は、二列に配列される冷媒管７４が機械室の長さ方向に沿って水平するように配置されて、前記冷媒管７４の外周面に空気との接触面積を大きくするスクリュー状の冷却フィン７６が形成される。
【００３５】
また、前記横流ファン７２は、前記第１実施形態で説明した横流ファン２８と同様に構成されて、前記熱交換器７０の上側に前記熱交換器７０と水平するように配置される。即ち、前記横流ファン７２は、その一方側に駆動モータ７８が設置されて、前記機械室１２の上側に水平するように配置される。
【００３６】
また、前記ハウジング８０は、前記熱交換器７０が内蔵されて一方側に空気が吸入される吸入口８６が形成される熱交換器ハウジング８２と、該熱交換器ハウジング８２の上側に連結されて、前記横流ファン７２が内蔵されてその上側に横流ファン７２を通過した空気が排出される排出口８８が形成されるファンハウジング８４と、を包含して構成される。
【００３７】
そして、前記機械室１２の上側には、前記ファンハウジング８４の排出口８８から吐出される空気を前記圧縮機２４にガイドして圧縮機２４を冷却させるエアーガイド９０が設置される。また、該エアーガイド９０は、その一方側に前記ファンハウジング８４に形成された排出口８８連通されて空気が流入される空気流入口９２が形成されて、その他方側に前記圧縮機２４に空気が吐出される空気吐出口９４が形成される。
【００３８】
このように構成される第２実施形態に係る冷蔵庫では、電源が入ると、前記圧縮機２４が駆動されながら冷媒の圧縮作用をして、駆動モータ７８が駆動されて、横流ファン７２が回転し、送風力を発生する。
【００３９】
次いで、前記熱交換器ハウジング８２に形成された吸入口８６を通って外部空気が吸入されて、前記熱交換器７０を通過しながら前記各冷媒管７４を通過する冷媒と熱交換されて、前記熱交換器７０を通過した空気は、前記ファンハウジング８４に形成された排出口８８を通って排出されて、エアーガイド９０の空気流入口９２に吸入され、前記エアーガイド９０を通過した後に、該エアーガイド９０の空気排出口９４を通って、圧縮機２４に排出されて圧縮機２４の冷却作用をする。
【符号の説明】
【００４０】
１０    冷蔵庫本体
１２    機械室
１４    ベースフレーム
２４    圧縮機
２６    熱交換器
２８    横流ファン
３０    ハウジング
３２    圧縮機の受納空間
３４    ハウジング受納空間
３６    排出口
３８    ファンハウジング
４０    熱交換器ハウジング
４２    ハウジングカバー
４４    吸入口
５０    ブレード
５２    回転軸
５４    駆動モータ
６０    冷媒管
６２    支持プレート
６４    冷却フィン
【図１】
2011158249.tif 000003
【図２】
2011158249.tif 000004
【図３】
2011158249.tif 000005
【図４】
2011158249.tif 000006
【図５】
2011158249.tif 000007
【図６】
2011158249.tif 000008
【図７】
2011158249.tif 000009
【図８】
2011158249.tif 000010
【図９】
2011158249.tif 000011
【図１０】
2011158249.tif 000012
【図１１】
2011158249.tif 000013